【手続補正書】
【提出日】平成22年12月3日(2010.12.3)
【手続補正１】
【補正対象書類名】特許請求の範囲
【補正対象項目名】全文
【補正方法】変更
【補正の内容】
【特許請求の範囲】
【請求項１】
複数の画像を編集する画像編集装置において、
前記複数の画像における縦長画像と横長画像のどちらが多いかを画像数、フレーム数及び再生時間のいずれか１つを用いて判別する判別手段と、
前記判別手段で多いと判別された画像について、画像数、フレーム数、再生時間のいずれか１つが多い縦横比を選択する選択手段と、
前記複数の画像を、前記選択手段で選択された縦横比で出力する出力手段と
を有することを特徴とする画像編集装置。
【請求項２】
前記出力手段から出力される複数の画像を１つのファイルとして記録する記録手段をさらに備えることを特徴とする請求項１記載の画像編集装置。
【請求項３】
前記出力手段から出力される複数の画像を順次表示する表示手段をさらに備えることを特徴とする請求項１記載の画像編集装置。
【請求項４】
前記複数の画像は、縦長画像もしくは横長画像または縦長画像と横長画像とからなることを特徴とする請求項１乃至３のいずれか１項に記載の画像編集装置。
【請求項５】
前記複数の画像のうち任意の画像に対して画像回転を設定する画像回転設定手段と、
前記出力手段から画像を出力する際に、前記画像回転設定手段による設定に従って前記任意の画像を回転させる画像回転手段とを有し、
前記判別手段及び前記選択手段では、それぞれ前記画像回転設定手段によって左または右へ９０度回転するように設定された画像の縦横比を逆に扱うことを特徴とする請求項１乃至４のいずれか１項に記載の画像編集装置。
【請求項６】
前記判別手段は、縦と横の長さが等しい画像については、縦長画像としても横長画像としても扱わないことを特徴とする請求項１乃至５のいずれか１項に記載の画像編集装置。
【請求項７】
複数の画像を編集する画像編集方法において、
前記複数の画像における縦長画像と横長画像のどちらが多いかを画像数、フレーム数及び再生時間のいずれか１つを用いて判別する判別ステップと、
前記判別ステップで多いと判別された画像について、画像数、フレーム数、再生時間のいずれか１つが多い縦横比を選択する選択ステップと、
前記複数の画像を、前記選択ステップで選択された縦横比で出力する出力ステップと
を有することを特徴とする画像編集方法。
【手続補正２】
【補正対象書類名】明細書
【補正対象項目名】発明の名称
【補正方法】変更
【補正の内容】
【発明の名称】画像編集装置及び画像編集方法  
【手続補正３】
【補正対象書類名】明細書
【補正対象項目名】０００１
【補正方法】変更
【補正の内容】
【０００１】
本発明は、画像編集装置及び画像編集方法に関し、特に、複数の画像を編集して一つの動画として出力する画像編集装置及び画像編集方法に関する。
【手続補正４】
【補正対象書類名】明細書
【補正対象項目名】００１０
【補正方法】変更
【補正の内容】
【００１０】
本発明の目的は、編集した画像データを出力する際に適切な縦横比率を容易に設定することができる画像編集装置及び画像編集方法を提供することにある。
【手続補正５】
【補正対象書類名】明細書
【補正対象項目名】００１１
【補正方法】変更
【補正の内容】
【００１１】
上記目的を達成するために、請求項１記載の画像編集装置は、複数の画像を編集する画像編集装置において、前記複数の画像における縦長画像と横長画像のどちらが多いかを画像数、フレーム数及び再生時間のいずれか１つを用いて判別する判別手段と、前記判別手段で多いと判別された画像について、画像数、フレーム数、再生時間のいずれか１つが多い縦横比を選択する選択手段と、前記複数の画像を、前記選択手段で選択された縦横比で出力する出力手段とを有することを特徴とする。
【手続補正６】
【補正対象書類名】明細書
【補正対象項目名】００１２
【補正方法】変更
【補正の内容】
【００１２】
また、上記目的を達成するために、請求項７記載の画像編集方法は、複数の画像を編集する画像編集方法において、前記複数の画像における縦長画像と横長画像のどちらが多いかを画像数、フレーム数及び再生時間のいずれか１つを用いて判別する判別ステップと、前記判別ステップで多いと判別された画像について、画像数、フレーム数、再生時間のいずれか１つが多い縦横比を選択する選択ステップと、前記複数の画像を、前記選択ステップで選択された縦横比で出力する出力ステップとを有することを特徴とする。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
本発明によれば、編集対象の画像データをもとに、判別手段と選択手段によって２段階で出力画像データの縦横比を選択するようにしたので、画像データを編集して出力する際に適切な縦横比率を容易に設定することができる。
【手続補正１０】
【補正対象書類名】明細書
【補正対象項目名】００６６
【補正方法】変更
【補正の内容】
【００６６】
ユーザによって、［保存］ボタンがクリックされると、例えばＯＳに標準で装備されているファイル保存ダイアログ（図示省略）を表示し、ユーザによる動画像ファイルの保存場所と保存ファイル名の設定を可能とする。ユーザによって保存場所と保存ファイル名が設定されると、設定条件に従って編集結果を動画像ファイルとして保存又は出力し（ステップＳ５７０）（画像の出力手段）、本処理を終了する。
【手続補正１１】
【補正対象書類名】明細書
【補正対象項目名】００７５
【補正方法】変更
【補正の内容】
【００７５】
縦長動画像と横長動画像の数をそれぞれカウントしたのち、横長画像と横長画像のうち多い方の画像を選択、判別し（ステップＳ１６０）（判別手段）、例えば横長画像が多い場合、すべての横長画像の縦横比を算出する（ステップＳ１７０）。このとき、縦長画像と横長画像の数が同数だった場合は、例えば予め決定した例えば横長画像を優先扱いし、すべての横長画像の縦横比を算出する。このとき、ＣＰＵ２１０は、例えば７種の画像サイズ、「４：３」、「１６：９」、「１１：９」、「３：４」、「９：１６」、「９：１１」、「それ以外」のうち、横長画像である各画像サイズの画像数を算出する。ここで、横長画像は、縦横比「４：３」、「１６：９」、「１１：９」、「それ以外」の４種類である。
【手続補正１２】
【補正対象書類名】明細書
【補正対象項目名】００７６
【補正方法】変更
【補正の内容】
【００７６】
次いで、ステップＳ１７０で算出した縦横比「４：３」、「１６：９」、「１１：９」、「それ以外」のうち、一番多かった縦横比を選択する（ステップＳ１８０）（選択手段）。そして、一番多いと判断された縦横比を保存画像サイズとして設定して（ステップＳ２１０）本処理を終了する。
【手続補正１３】
【補正対象書類名】明細書
【補正対象項目名】００７９
【補正方法】変更
【補正の内容】
【００７９】
ステップＳ１６０（判別手段）の選択の結果、縦長画像が多い場合、ＣＰＵ２１０は、すべての縦長画像に対して、それぞれ縦横比を算出する（ステップＳ１９０）。このとき、例えば７種類の縦横比「４：３」、「１６：９」、「１１：９」、「３：４」、「９：１６」、「９：１１」、「それ以外」のうち、縦長画像である「３：４」、「９：１６」、「９：１１」、「それ以外」の4種類について画像数を算出する。
【手続補正１４】
【補正対象書類名】明細書
【補正対象項目名】００８０
【補正方法】変更
【補正の内容】
【００８０】
次いで、ステップＳ１９０で算出した縦横比「３：４」、「９：１６」、「９：１１」、「それ以外」のうち、一番多かった縦横比を選択、判別する（ステップＳ２００）（選択手段）。そして、横長画像が多かった場合と同様、一番多いと判断された縦横比を、保存画像サイズとして設定し（ステップＳ２１０）、本処理を終了する。
【手続補正１５】
【補正対象書類名】明細書
【補正対象項目名】００８４
【補正方法】変更
【補正の内容】
【００８４】
本実施の形態において、判別手段を、動画像ファイルの数に基づいて縦長画像が多いか横長画像が多いかを判断する例を示したが、本発明は、これに限定されるものではない。すなわち、所定の基準量として動画像ファイルの画像再生時間の長さ又は画像フレーム数を用い、これらに基づいて判別し、画像再生時間の長い方又は画像フレーム数の多い方の画像を選択するような構成とすることもできる。
【手続補正１６】
【補正対象書類名】明細書
【補正対象項目名】００８５
【補正方法】変更
【補正の内容】
【００８５】
また、選択手段においても、基準量として、画像数の外、画像再生時間及び画像フレーム数のうちのいずれかを用いてもよい。
【手続補正１７】
【補正対象書類名】明細書
【補正対象項目名】００９２
【補正方法】変更
【補正の内容】
【００９２】
そこで、本実施例では、図３のステップＳ１３０〜Ｓ１６０において、まず、縦長画像と横長画像の数の多さだけを比較して、縦長画像が多いことを判別する。具体的には、横長画像は４：３の画像だけなので５個であるのに対し、縦長画像は３：４の画像と９：１６の画像とを合わせた７個であり、縦長画像が多いことを判別し、縦長の比率で動画ファイルを保存することを決定する（判別手段）。
【手続補正１８】
【補正対象書類名】明細書
【補正対象項目名】００９３
【補正方法】変更
【補正の内容】
【００９３】
次に、図１２における縦長画像の中で、各動画ファイルの縦横比を算出し（ステップＳ１９０）、どの縦横比が最も多いかを判断し（ステップＳ２００）、３：４の動画ファイルが９：１６の動画ファイルより多いという結果を得る。この判別結果に基づいて縦横比を３：４に決定し（選択手段）、保存画像サイズを縦長比３：４に設定する（ステップＳ２１０）。